(57)【要約】【課題】ドロップアウト後にミラー部が無いにもかかわらずミラー部検出信号がハイレベルになることを無くす。また、ミラー部があれば、正確に検出する。【解決手段】低速ピーク検波器３の後にリミッタ６を入れる。または、低速ピーク検波器と高速ピーク検波器の両方の後に、または検波器の前にリミッタを入れる。また、ドロップアウト検出時に低速ピーク検波器の出力を、または低速ピーク検波器と高速ピーク検波器の両方の出力を保持する。また、ドロップアウト検出時に低速ピーク検波器の時定数を小さくする。また、高速ピーク検波器の出力を低速ピーク検波する構成において、低速ピーク検波後に、または高速ピーク検波後に、または、高速ピーク検波前にリミッタを入れたり、ドロップアウト検出時に低速ピーク検波を、または高速ピーク検波を保持したり、またドロップアウト検出時に低速ピーク検波の時定数を小さくする。【選択図】        図１
2004227738.tif 000002
【特許請求の範囲】
【請求項１】
光ディスクもしくは光磁気ディスクからの再生信号のミラー部を検出する光ディスク再生装置であって、
前記再生信号もしくはその反転信号を高速でピーク検波する高速ピーク検波器と、
前記再生信号もしくはその反転信号を低速でピーク検波する低速ピーク検波器と、
前記低速ピーク検波器の出力信号にリミットを掛ける第１のリミッタと、
前記第１のリミッタの出力信号のレベルをシフトさせるレベルシフト回路と、前記高速ピーク検波器の出力信号と前記レベルシフト回路の出力信号とを比較する比較器とを備えた光ディスク再生装置。
【請求項２】
高速ピーク検波器の出力信号にリミットを掛ける第２のリミッタを、前記高速ピーク検波器と比較器の間に設けた請求項１記載の光ディスク再生装置。
【請求項３】
光ディスクもしくは光磁気ディスクからの再生信号のミラー部を検出する光ディスク再生装置であって、
前記再生信号もしくはその反転信号にリミットをかけるリミッタと、
前記リミッタの出力信号を高速でピーク検波する高速ピーク検波器と、
前記リミッタの出力信号を低速でピーク検波する低速ピーク検波器と、
前記低速ピーク検波器の出力信号のレベルをシフトさせるレベルシフト回路と、
前記高速ピーク検波器の出力信号と前記レベルシフト回路の出力信号とを比較する比較器とを備えた光ディスク再生装置。
【請求項４】
光ディスクもしくは光磁気ディスクからの再生信号のミラー部を検出する光ディスク再生装置であって、
前記再生信号のドロップアウトを検出するドロップアウト検出器と、
前記再生信号もしくはその反転信号を高速でピーク検波する高速ピーク検波器と、
前記再生信号もしくはその反転信号を低速でピーク検波し、前記ドロップアウト検出器のドロップアウト検出期間中出力信号をホールドする低速ピーク検波器と、
前記低速ピーク検波器の出力信号のレベルをシフトさせるレベルシフト回路と、
前記高速ピーク検波器の出力信号と前記レベルシフト回路の出力信号とを比較する比較器とを備えた光ディスク再生装置。
【請求項５】
高速ピーク検波器が前記ドロップアウト検出器のドロップアウト検出期間中出力信号をホールドする請求項４記載の光ディスク再生装置。
【請求項６】
光ディスクもしくは光磁気ディスクからの再生信号のミラー部を検出する光ディスク再生装置であって、
前記再生信号のドロップアウトを検出するドロップアウト検出器と、
前記再生信号もしくはその反転信号を高速でピーク検波する高速ピーク検波器と、
前記再生信号もしくはその反転信号を低速でピーク検波し、前記ドロップアウト検出器のドロップアウト検出期間中時定数を小さくする低速ピーク検波器と、前記低速ピーク検波器の出力信号のレベルをシフトさせるレベルシフト回路と、
前記高速ピーク検波器の出力信号と前記レベルシフト回路の出力信号とを比較する比較器とを備えた光ディスク再生装置。
【請求項７】
光ディスクもしくは光磁気ディスクからの再生信号のミラー部を検出する光ディスク再生装置であって、
前記再生信号もしくはその反転信号を高速でピーク検波する高速ピーク検波器と、
前記高速ピーク検波器の出力信号を低速でピーク検波する低速ピーク検波器と、
前記低速ピーク検波器の出力信号にリミットを掛けるリミッタと、
前記リミッタの出力信号のレベルをシフトさせるレベルシフト回路と、
前記高速ピーク検波器の出力信号と前記レベルシフト回路の出力信号とを比較する比較器とを備えた光ディスク再生装置。
【請求項８】
光ディスクもしくは光磁気ディスクからの再生信号のミラー部を検出する光ディスク再生装置であって、
前記再生信号もしくはその反転信号を高速でピーク検波する高速ピーク検波器と、
前記高速ピーク検波器の出力信号にリミットを掛けるリミッタと、
前記リミッタの出力信号を低速でピーク検波する低速ピーク検波器と、
前記低速ピーク検波器の出力信号のレベルをシフトさせるレベルシフト回路と、
前記リミッタの出力信号と前記レベルシフト回路の出力信号とを比較する比較器とを備えた光ディスク再生装置。
【請求項９】
光ディスクもしくは光磁気ディスクからの再生信号のミラー部を検出する光ディスク再生装置であって、
前記再生信号もしくはその反転信号にリミットをかけるリミッタと、
前記リミッタの出力信号を高速でピーク検波する高速ピーク検波器と、
前記高速ピーク検波器の出力信号を低速でピーク検波する低速ピーク検波器と、
前記低速ピーク検波器の出力信号のレベルをシフトさせるレベルシフト回路と、
前記高速ピーク検波器の出力信号と前記レベルシフト回路の出力信号とを比較する比較器とを備えた光ディスク再生装置。
【請求項１０】
光ディスクもしくは光磁気ディスクからの再生信号のミラー部を検出する光ディスク再生装置であって、
前記再生信号のドロップアウトを検出するドロップアウト検出器と、
前記再生信号もしくはその反転信号を高速でピーク検波する高速ピーク検波器と、
前記高速ピーク検波器の出力信号を低速でピーク検波し、前記ドロップアウト検出器のドロップアウト検出期間中出力信号をホールドする低速ピーク検波器と、
前記低速ピーク検波器の出力信号のレベルをシフトさせるレベルシフト回路と、
前記高速ピーク検波器の出力信号と前記レベルシフト回路の出力信号とを比較する比較器とを備えた光ディスク再生装置。
【請求項１１】
光ディスクもしくは光磁気ディスクからの再生信号のミラー部を検出する光ディスク再生装置であって、
前記再生信号のドロップアウトを検出するドロップアウト検出器と、
前記再生信号もしくはその反転信号を高速でピーク検波し、前記ドロップアウト検出器のドロップアウト検出期間中出力信号をホールドする高速ピーク検波器と、
前記高速ピーク検波器の出力信号を低速でピーク検波する低速ピーク検波器と、
前記低速ピーク検波器の出力信号のレベルをシフトさせるレベルシフト回路と、
前記高速ピーク検波器の出力信号と前記レベルシフト回路の出力信号とを比較する比較器とを備えた光ディスク再生装置。
【請求項１２】
光ディスクもしくは光磁気ディスクからの再生信号のミラー部を検出する光ディスク再生装置であって、
前記再生信号のドロップアウトを検出するドロップアウト検出器と、
前記再生信号もしくはその反転信号を高速でピーク検波する高速ピーク検波器と、
前記高速ピーク検波器の出力信号を低速でピーク検波し、前記ドロップアウト検出器のドロップアウト検出期間中時定数を小さくする低速ピーク検波器と、
前記低速ピーク検波器の出力信号のレベルをシフトさせるレベルシフト回路と、
前記高速ピーク検波器の出力信号と前記レベルシフト回路の出力信号とを比較する比較器とを備えた光ディスク再生装置。
【発明の詳細な説明】
【０００１】
【発明の属する技術分野】
本発明は、光ディスクおよび光磁気ディスクなどの再生信号のミラー部を検出する光ディスク再生装置に関するものである。なお、再生信号のミラー部というのは、ディスクの全反射部分、つまり信号（コンパクトディスクではピット）が無い部分のことで、トラックとトラックの間の部分のことである。
【０００２】
【従来の技術】
以下、ミラー部を検出する従来の光ディスク再生装置について、再生信号のミラー部を検出する様子を図面を参照しながら説明する。
【０００３】
図２４はミラー部を検出する従来の光ディスク再生装置の構成を示すブロック図である。図２４において、符号１は再生信号（ＲＦ信号）の極性を反転させる反転アンプである。符号２は上記再生信号を高速で検波する高速ピーク検波器である。符号３は上記再生信号を上記高速ピーク検波器２と異なる時定数で検波する低速ピーク検波器である。符号４は上記低速ピーク検波器３の出力信号をレベルシフトするレベルシフト回路である。符号５は高速ピーク検波器２の出力信号を反転入力とし、レベルシフト回路４の出力信号を非反転入力とする比較器である。検波の時定数は、トラックサーチのスピードなどによって異なる値となり、一意的に決めることは困難であるが、一例をあげると、高速＝０．０２Ｖ／μｓ程度、低速＝０．２ｍＶ／μｓ程度である。
【０００４】
この構成は、従来のドロップアウト検出器と同様であり、ドロップアウト検出器との違いは入力が反転していることである（例えば、特許文献１参照）。
【０００５】
以上のように構成されたミラー部を検出する光ディスク再生装置において、再生信号のミラー部を検出する様子を図２５を用いて説明する。
【０００６】
図２５において、波形ａ〜ｆは全て同一時間、同一地点での波形を示している。波形ａはミラー部が連続してある場合の再生信号の波形であり、明側が高電位、暗側が低電位となっている。なお、ミラー部が連続してある場合の波形というのは、トラックサーチをしているときなど、トラックを横断しているときの波形のことである。
【０００７】
波形ｂは波形ａの信号を反転する反転アンプ１の出力信号で、明側が低電位、暗側が高電位となる。なお、再生信号が、明側が低電位、暗側が高電位となっている場合には、反転アンプ１は不要となる。
【０００８】
波形ｃは波形ｂの信号を高速ピーク検波する高速ピーク検波器２の出力信号の波形である。
【０００９】
波形ｄは波形ｂの信号を低速ピーク検波する低速ピーク検波器３の出力信号の波形である。
【００１０】
波形ｅは波形ｄの信号をレベルシフトした信号である。
【００１１】
波形ｆは波形ｃと波形ｅの各信号を入力とする比較器５の出力信号で、ミラー部検出信号（ＯＦＴＲ）である。
【００１２】
なお、波形ａ，ｂは高周波信号波形のエンベロープを示している。
【００１３】
このように、このディスク再生装置では、再生信号を高速ピーク検波した信号と、再生信号を低速ピーク検波しそれをレベルシフトした信号とを比較することにより、ミラー部を検出している。
【００１４】
図２６も再生信号のミラー部を検出する従来の光ディスク再生装置の構成を示すブロック図であり、その構成要素は図２４と同じである。図２６において、図２４との違いは、低速ピーク検波器３の入力が高速ピーク検波器２の出力となっている点であり、その他の構成は図２４と同じである。
【００１５】
【特許文献１】
特開２００２−１８３９４９号公報（第４〜５頁、図１）
【００１６】
【発明が解決しようとする課題】
しかしながら、上記従来の構成では、ＣＤ−ＲＷなどの変調度の小さいメディアで再生信号にドロップアウトが発生した場合に、ドロップアウト後にミラー部が無いにもかかわらず、ミラー部検出信号がハイレベルとなってしまい、トラッキングサーボ制御において誤動作を引き起こし、プレイアビリティーが悪化するという問題がある。
【００１７】
図２７において、波形ａ〜ｆは図２５で指している波形と同じである。波形ａは変調度の小さいメディアでドロップアウトが発生した場合の再生信号（ＲＦ信号）である。
【００１８】
このように、再生信号の変調度が小さいメディアでドロップアウトが発生すると、ドロップアウト後に波形ｅの電位が波形ｃの電位よりも大きくなるので、その区間だけ波形ｆのミラー部検出信号がハイレベルとなってしまう。
【００１９】
図２８においても、波形ａ〜ｆは図２５で指している波形と同じである。波形ａは変調度の小さいメディアでドロップアウトが発生した後にミラー部が連続している再生信号である。
【００２０】
このように、再生信号の変調度が小さいメディアでドロップアウトが発生した後にミラー部があると、ドロップアウト後しばらくは波形ｅの電位が波形ｃの電位よりも大きいので、その区間でミラー部があっても波形ｆのミラー部検出信号が適切な波形でハイレベルを出力できなくなってしまう。
【００２１】
なお、図２６の構成でも、図２７および図２８と同じ様子となる。
【００２２】
本発明は、上記従来の問題点を解決するもので、再生信号の変調度が小さいメディアでドロップアウトが発生しても、ドロップアウト後にミラー部が無ければミラー部検出信号が活性状態（例えば、ハイレベル）にはならず、また、ドロップアウト後にミラー部がある場合には、そのミラー部を正確に検出することができる光ディスク再生装置を提供することを目的とする。
【００２３】
【課題を解決するための手段】
この目的を達成するために、請求項１に記載の光ディスク再生装置は、低速ピーク検波器の後に第１のリミッタを設けている。すなわち、この光ディスク再生装置は、再生信号もしくはその反転信号を高速でピーク検波する高速ピーク検波器と、再生信号もしくはその反転信号を低速でピーク検波する低速ピーク検波器と、低速ピーク検波器の出力信号にリミットを掛ける第１のリミッタと、第１のリミッタの出力信号のレベルをシフトさせるレベルシフト回路と、高速ピーク検波器の出力信号とレベルシフト回路の出力信号とを比較する比較器とを備えている。
【００２４】
これにより、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができる。
【００２５】
請求項２に記載の光ディスク再生装置は、請求項１の構成において、高速ピーク検波器の後にも第２のリミッタを設けている。すなわち、この光ディスク再生装置は、請求項１記載の光ディスク再生装置において、高速ピーク検波器の出力信号にリミットを掛ける第２のリミッタを、高速ピーク検波器とレベルシフト回路の間に設けている。
【００２６】
これにより、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができ、なおかつ、高速ピーク検波の時定数で追従できないほど急峻に復帰するドロップアウト直後にミラー部が発生しても、正確にミラー部を検出することができる。
【００２７】
請求項３に記載の光ディスク再生装置は、反転アンプの直後にリミッタを設けている。すなわち、この光ディスク再生装置は、再生信号もしくはその反転信号にリミットをかけるリミッタと、リミッタの出力信号を高速でピーク検波する高速ピーク検波器と、リミッタの出力信号を低速でピーク検波する低速ピーク検波器と、低速ピーク検波器の出力信号のレベルをシフトさせるレベルシフト回路と、高速ピーク検波器の出力信号とレベルシフト回路の出力信号とを比較する比較器とを備えている。
【００２８】
これにより、請求項２に記載の手段と同様、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができ、なおかつ、高速ピーク検波の時定数で追従できないほど急峻に復帰するドロップアウト直後にミラー部が発生しても、正確にミラー部を検出することができる。
【００２９】
請求項４に記載の光ディスク再生装置は、再生信号でドロップアウト信号を検出したときに、低速ピーク検波信号をホールドする構成となっている。すなわち、この光ディスク再生装置は、再生信号のドロップアウトを検出するドロップアウト検出器と、再生信号もしくはその反転信号を高速でピーク検波する高速ピーク検波器と、再生信号もしくはその反転信号を低速でピーク検波し、ドロップアウト検出器のドロップアウト検出期間中出力信号をホールドする低速ピーク検波器と、低速ピーク検波器の出力信号のレベルをシフトさせるレベルシフト回路と、高速ピーク検波器の出力信号とレベルシフト回路の出力信号とを比較する比較器とを備えている。
【００３０】
これにより、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができる。
【００３１】
請求項５に記載の光ディスク再生装置は、再生信号でドロップアウト信号を検出したときに、低速ピーク検波信号と高速ピーク検波信号の両方をホールドする構成となっている。すなわち、この光ディスク再生装置は、請求項４記載の光ディスク再生装置において、高速ピーク検波器がドロップアウト検出器のドロップアウト検出期間中出力信号をホールドするようにしている。
【００３２】
これにより、ドロップアウト発生時に高速ピーク検波信号がドロップアウト信号のエンベロープに追従しないようにし、高速ピーク検波の時定数よりも早い時定数で復帰するドロップアウトの直後にミラー部があっても、ミラー部を正確に検出することができる。また、再生信号にＤＣオフセットがある場合においても、ドロップアウト直後のミラー部を正確に検出することができる。
【００３３】
請求項６に記載の光ディスク再生装置は、再生信号でドロップアウト信号を検出したときに、低速ピーク検波の時定数を大きくする構成となっている。すなわち、この光ディスク再生装置は、再生信号のドロップアウトを検出するドロップアウト検出器と、再生信号もしくはその反転信号を高速でピーク検波する高速ピーク検波器と、再生信号もしくはその反転信号を低速でピーク検波し、ドロップアウト検出器のドロップアウト検出期間中時定数を小さくする低速ピーク検波器と、低速ピーク検波器の出力信号のレベルをシフトさせるレベルシフト回路と、高速ピーク検波器の出力信号とレベルシフト回路の出力信号とを比較する比較器とを備えている。
【００３４】
これにより、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができる。また、再生信号にＤＣオフセットがある場合でも、ドロップアウト後にミラー部が無いにもかかわらず検出信号が活性状態（例えば、ハイレベル）になることが無いようにすることができる。
【００３５】
請求項７に記載の光ディスク再生装置は、高速ピーク検波信号を低速ピーク検波する構成において、低速ピーク検波後にリミッタを設けている。すなわち、この光ディスク再生装置は、再生信号もしくはその反転信号を高速でピーク検波する高速ピーク検波器と、高速ピーク検波器の出力信号を低速でピーク検波する低速ピーク検波器と、低速ピーク検波器の出力信号にリミットを掛けるリミッタと、リミッタの出力信号のレベルをシフトさせるレベルシフト回路と、高速ピーク検波器の出力信号とレベルシフト回路の出力信号とを比較する比較器とを備えている。
【００３６】
これにより、請求項１に記載の光ディスク再生装置と同様に、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができる。
【００３７】
請求項８に記載の光ディスク再生装置は、高速ピーク検波後にリミッタを設け、そのリミッタの信号を低速ピーク検波する構成となっている。すなわち、この光ディスク再生装置は、再生信号もしくはその反転信号を高速でピーク検波する高速ピーク検波器と、高速ピーク検波器の出力信号にリミットを掛けるリミッタと、リミッタの出力信号を低速でピーク検波する低速ピーク検波器と、低速ピーク検波器の出力信号のレベルをシフトさせるレベルシフト回路と、リミッタの出力信号とレベルシフト回路の出力信号とを比較する比較器とを備えている。
【００３８】
これにより、請求項２に記載の光ディスク再生装置と同様に、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができ、なおかつ、高速ピーク検波の時定数で追従できないほど急峻に復帰するドロップアウト直後にミラー部が発生しても、正確にミラー部を検出することができる。
【００３９】
請求項９に記載の光ディスク再生装置は、反転アンプの直後にリミッタを設け、高速ピーク検波信号を低速検波する構成となっている。すなわち、この光ディスク再生装置は、再生信号もしくはその反転信号にリミットをかけるリミッタと、リミッタの出力信号を高速でピーク検波する高速ピーク検波器と、高速ピーク検波器の出力信号を低速でピーク検波する低速ピーク検波器と、低速ピーク検波器の出力信号のレベルをシフトさせるレベルシフト回路と、高速ピーク検波器の出力信号とレベルシフト回路の出力信号とを比較する比較器とを備えている。
【００４０】
これにより、請求項８に記載の光ディスク再生装置と同様に、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができ、なおかつ、高速ピーク検波の時定数で追従できないほど急峻に復帰するドロップアウト直後にミラー部が発生しても、正確にミラー部を検出することができる。
【００４１】
請求項１０に記載の光ディスク再生装置は、請求項４に記載の光ディスク再生装置において、高速ピーク検波信号を低速ピーク検波する構成となっている。すなわち、この光ディスク再生装置は、再生信号のドロップアウトを検出するドロップアウト検出器と、再生信号もしくはその反転信号を高速でピーク検波する高速ピーク検波器と、高速ピーク検波器の出力信号を低速でピーク検波し、ドロップアウト検出器のドロップアウト検出期間中出力信号をホールドする低速ピーク検波器と、低速ピーク検波器の出力信号のレベルをシフトさせるレベルシフト回路と、高速ピーク検波器の出力信号とレベルシフト回路の出力信号とを比較する比較器とを備えている。
【００４２】
これにより、請求項４に記載の光ディスク再生装置と同様に、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができる。
【００４３】
請求項１１に記載の光ディスク再生装置は、高速ピーク検波信号を低速ピーク検波する構成において、再生信号でドロップアウト信号を検出したときに、高速ピーク検波信号をホールドする構成となっている。すなわち、この光ディスク再生装置は、再生信号のドロップアウトを検出するドロップアウト検出器と、再生信号もしくはその反転信号を高速でピーク検波し、ドロップアウト検出器のドロップアウト検出期間中出力信号をホールドする高速ピーク検波器と、高速ピーク検波器の出力信号を低速でピーク検波する低速ピーク検波器と、低速ピーク検波器の出力信号のレベルをシフトさせるレベルシフト回路と、高速ピーク検波器の出力信号とレベルシフト回路の出力信号とを比較する比較器とを備えている。
【００４４】
これにより、請求項５に記載の光ディスク再生装置と同様に、ドロップアウト発生時に高速ピーク検波信号がドロップアウト信号のエンベロープに追従しないようにし、高速ピーク検波の時定数よりも早い時定数で復帰するドロップアウトの直後にミラー部があっても、ミラー部を正確に検出することができる。また、再生信号にＤＣオフセットがある場合においても、ドロップアウト直後のミラー部を正確に検出することができる。
【００４５】
請求項１２に記載の光ディスク再生装置は、高速ピーク検波信号を低速ピーク検波する構成において、再生信号でドロップアウト信号を検出したときに、低速ピーク検波の時定数を大きくする構成となっている。すなわち、この光ディスク再生装置は、再生信号のドロップアウトを検出するドロップアウト検出器と、再生信号もしくはその反転信号を高速でピーク検波する高速ピーク検波器と、高速ピーク検波器の出力信号を低速でピーク検波し、ドロップアウト検出器のドロップアウト検出期間中時定数を小さくする低速ピーク検波器と、低速ピーク検波器の出力信号のレベルをシフトさせるレベルシフト回路と、高速ピーク検波器の出力信号とレベルシフト回路の出力信号とを比較する比較器とを備えている。
【００４６】
これにより、請求項６に記載の光ディスク再生装置と同様に、ドロップアウト発生時に低速ピーク検波信号をレベルシフトした信号が高速ピーク検波信号よりも大きくならないようにし、ドロップアウト後にミラー部が無いにもかかわらず検出信号が活性状態（例えば、ハイレベル）になることが無いようにすることができる。また、再生信号にＤＣオフセットがある場合でも、ドロップアウト後にミラー部が無いにもかかわらず検出信号が活性状態（例えば、ハイレベル）になることが無いようにすることができる。
【００４７】
【発明の実施の形態】
以下、本発明の第１の実施の形態について、図面を参照しながら説明する。
【００４８】
図１は本発明の第１の実施の形態における、光ディスク再生装置の構成を示すブロック図である。図１において、符号１は再生信号（ＲＦ信号）の極性を反転させる反転アンプである。符号２は上記再生信号（ＲＦ信号）を高速で検波する高速ピーク検波器である。符号３は上記再生信号を高速ピーク検波器２と異なる時定数で検波する低速ピーク検波器である。符号４は低速ピーク検波器３の出力信号をレベルシフトするレベルシフト回路である。符号５は高速ピーク検波器２の出力信号を反転入力とし、レベルシフト回路４の出力信号を非反転入力とする比較器である。符号６は低速ピーク検波器３の出力信号にリミットを掛けるリミッタである。検波の時定数は、トラックサーチのスピードなどによって異なる値となり、一意的に決めることは困難であるが、一例をあげると、高速＝０．０２Ｖ／μｓ程度、低速＝０．２ｍＶ／μｓ程度である。
【００４９】
以上のように構成されたミラー部を検出する光ディスク再生装置において、再生信号にドロップアウトがある場合の様子を図２を用いて説明する。
【００５０】
図２において、波形ａ〜ｆは全て同一時間、同一地点での波形を示している。波形ａはドロップアウトがある再生信号の波形であり、明側が高電位、暗側が低電位となっている。
【００５１】
波形ｂは波形ａの信号を反転する反転アンプ１の出力信号で、明側が低電位、暗側が高電位となる。なお、再生信号が、明側が低電位、暗側が高電位となっている場合には、反転アンプ１は不要となる。
【００５２】
波形ｃは波形ｂの信号を高速ピーク検波する高速ピーク検波器２の出力信号の波形である。
【００５３】
波形ｄは波形ｂの信号を低速ピーク検波する低速ピーク検波器３の出力信号をリミッタ６でリミットレベルｇにリミットを掛けた信号の波形である。
【００５４】
波形ｅは波形ｄの信号をレベルシフトした信号である。
【００５５】
波形ｆは波形ｃと波形ｅの各信号を入力とする比較器５の出力信号で、ミラー部検出信号（ＯＦＴＲ）である。
【００５６】
このように、このディスク再生装置では、高速ピーク検波した信号と、再生信号を低速ピーク検波しそれをあるレベルでリミットを掛けさらにそれをレベルシフトした信号とを比較することにより、ミラー部を検出するようにしている。このような光ディスク再生装置では、低速ピーク検波信号にリミットが掛かるために、ドロップアウト後に波形ｅのレベルシフト回路４の出力信号が波形ｃの高速ピーク検波器２の出力信号よりも高電位にならない。そのため、ドロップアウト後にミラー部が無いにもかかわらずミラー検出信号がハイレベルとなることが無い。
【００５７】
しかしながら、この実施の形態では、高速ピーク検波の時定数よりも早い時定数で復帰するドロップアウトの後にミラー部がある場合、ドロップアウト直後のミラー部を検出することができない。図３はこの様子を示す波形図である。
【００５８】
図３において、波形ａ〜ｆは全て同一時間、同一地点での波形を示している。波形ａは再生信号の波形を示し、波形ｂは反転アンプ１の出力信号の波形を示し、波形ｃは高速ピーク検波器２の出力信号の波形を示し、波形ｄはリミッタ６の出力信号の波形を示し、波形ｅはレベルシフト回路４の出力信号の波形を示し、波形ｆは比較器５の出力信号の波形を示している。なお、図１の波形ａ，ｂでは高周波信号波形を示したが、図３以降の波形図では、高周波信号波形のエンベロープのみを示している。
【００５９】
図３において、区間ｔ１では、ドロップアウトが復帰する時定数が高速ピーク検波の時定数よりも小さいため、高速ピーク検波の出力がｂの上側エンベロープに追従していない。したがって、ドロップアウト直後のミラー部を検出することができない。以下に説明する実施の形態は、この課題を解決することができるものである。
【００６０】
以下、本発明の第２の実施の形態について、図面を参照しながら説明する。
【００６１】
図４は本発明の第２の実施の形態における、光ディスク再生装置の構成を示すブロック図である。図４において、図１との違いは、高速ピーク検波器２の後ろにリミッタ７を挿入したことであり、それ以外は図１と同じである。
【００６２】
以上のように構成されたミラー部を検出する光ディスク再生装置において、再生信号にドロップアウトがあり、ドロップアウト直後にミラー部がある場合のミラー部検出の様子を図５を用いて説明する。
【００６３】
図５において、波形ａ〜ｆは全て同一時間、同一地点での波形を示している。波形ｃは高速ピーク検波器２の出力信号をリミットするリミッタ７の出力信号の波形を示している。波形ａは再生信号の波形を示し、波形ｂは反転アンプ１の出力信号の波形を示し、波形ｄはリミッタ６の出力信号の波形を示し、波形ｅはレベルシフト回路４の出力信号の波形を示し、波形ｆは比較器５の出力信号の波形を示している。
【００６４】
この実施の形態では、ドロップアウト時、低速ピーク検波器３の出力信号だけでなく、高速ピーク検波器２の出力信号にもリミットレベルｇでリミットが掛かることになる。そのため、ドロップアウト直後にミラー部がある場合でも高速ピーク検波が波形ｂの上側エンベロープに追従し、ドロップアウト直後のミラー部を検出することができる。
【００６５】
以下、本発明の第３の実施の形態について、図面を参照しながら説明する。
【００６６】
図６は本発明の第３の実施の形態における、光ディスク再生装置の構成を示すブロック図である。図６において、図１との違いは、低速ピーク検波器３の後ではなく、反転アンプ２の後ろにリミッタ８を挿入したことであり、その他は図１と同様である。
【００６７】
以上のように構成されたミラー部を検出する光ディスク再生装置において、再生信号にドロップアウトがあり、ドロップアウト直後にミラー部がある場合のミラー部検出の様子を図７を用いて説明する。
【００６８】
図７において、波形ａ〜ｆは全て同一時間、同一地点での波形を示している。波形ｂは反転アンプ１の出力信号をリミットするリミッタ８の出力信号の波形である。波形ａは再生信号の波形を示し、波形ｃは高速ピーク検波器２の出力信号の波形を示し、波形ｄは低速ピーク検波器３の出力信号の波形を示し、波形ｅはレベルシフト回路４の出力信号の波形を示し、波形ｆは比較器５の出力信号の波形を示している。
【００６９】
この実施の形態では、ドロップアウト時、波形ａの再生信号（ＲＦ信号）を反転した信号にリミットレベルｇでリミットが掛かった信号が波形ｂの信号である。
【００７０】
このように、この実施の形態では、ドロップアウト直後にミラー部が来ても、ミラー部において高速ピーク検波器２の出力が波形ｂの上側エンベロープに追従することになる。その結果、ミラー部を正確に検出することができる。
【００７１】
以下、本発明の第４の実施の形態について、図面を参照しながら説明する。
【００７２】
図８は本発明の第４の実施の形態における、光ディスク再生装置の構成を示すブロック図である。図８において、符号１〜５の構成は図１と同じである。符号９は再生信号（ＲＦ信号）のドロップアウトを検出するドロップアウト検出器で、ドロップアウトを検出すると低速ピーク検波器３の出力信号を保持させる動作を行う。つまり、ドロップアウト検出器９からドロップアウト検出信号が入力されると、その期間中、低速ピーク検波器３は、入力信号の変化にかかわらず出力信号のレベルを一定に保持する。
【００７３】
以上のように構成された光ディスク再生装置において、再生信号にドロップアウトがある場合の様子を図９を用いて説明する。
【００７４】
図９において、波形ａ〜ｆ、ｈは全て同一時間、同一地点での波形を示している。波形ｈはドロップアウト検出信号（以下、ＢＤＯ信号と略記）の波形を示している。波形ａは再生信号の波形を示し、波形ｂは反転アンプ１の出力信号の波形を示し、波形ｃは高速ピーク検波器２の出力信号の波形を示し、波形ｄは低速ピーク検波器３の出力信号の波形を示し、波形ｅはレベルシフト回路４の出力信号の波形を示し、波形ｆは比較器５の出力信号の波形を示している。
【００７５】
上記の波形ｈがハイレベルとなる区間（ドロップアウト検出期間）ｔ２において、波形ｄの低速ピーク検波器３の出力信号のレベルが一定に保持される。そのため、波形ｄをレベルシフトした波形ｅの信号が高速ピーク検波信号ｃより高電位にならない。
【００７６】
このように、ドロップアウト検出時に低速ピーク検波器３の出力信号を保持するような、この実施の形態の光ディスク再生装置では、ドロップアウト後に低速ピーク検波器３の出力信号をレベルシフトした信号が高速ピーク検波器２の出力信号より高電位にならないため、ドロップアウト後にミラー部が無いにもかかわらずミラー検出信号がハイレベルとなることが無い。
【００７７】
しかしながら、この実施の形態では、高速ピーク検波の時定数よりも早い時定数で復帰するドロップアウトの後にミラー部がある場合、ドロップアウト直後のミラー部を検出することができない。図１０はこの様子を示す波形図である。
【００７８】
図１０において、波形ａ〜ｆ、ｈは全て同一時間、同一地点での波形を示している。波形ａは再生信号の波形を示し、波形ｂは反転アンプ１の出力信号の波形を示し、波形ｃは高速ピーク検波器２の出力信号の波形を示し、波形ｄは低速ピーク検波器３の出力信号の波形を示し、波形ｅはレベルシフト回路４の出力信号の波形を示し、波形ｆは比較器５の出力信号の波形を示し、波形ｈはドロップアウト検出信号の波形を示している。
【００７９】
図１０において、区間ｔ１では、ドロップアウトが復帰する時定数が高速ピーク検波の時定数よりも小さいため、高速ピーク検波の出力が波形ｂの上側エンベロープに追従していない。したがって、ドロップアウト直後のミラー部を検出することができない。以下に説明する実施の形態は、この課題を解決することができるものである。
【００８０】
以下、本発明の第５の実施の形態について、図面を参照しながら説明する。
【００８１】
図１１は本発明の第５の実施の形態における、光ディスク再生装置の構成を示すブロック図である。図１１において、図８との違いは、ドロップアウト検出時に低速ピーク検波器３の出力信号を一定に保持するのみならず、高速ピーク検波器２の出力信号をも一定に保持することであり、その他は図８のものと同様である。
【００８２】
以上のように構成された光ディスク再生装置において、再生信号にドロップアウトがあり、ドロップアウト直後にミラー部がある場合のミラー部検出の様子を図１２を用いて説明する。
【００８３】
図１２において、波形ｈのＢＤＯ信号がハイレベルとなる区間ｔ２において、波形ｃの高速ピーク検波器２の出力信号と波形ｄの低速ピーク検波器３の出力信号とを保持するので、ドロップアウト後にミラー部がある場合において、波形ｃが波形ｂの上側エンベロープを追従することができる。
【００８４】
このように、ドロップアウト直後にミラー部が来ても、ミラー部において、波形ｃの高速ピーク検波器の出力信号が波形ｂの上側エンベロープに追従することができるので、ミラー部を正確に検出することができる。
【００８５】
つぎに、図１３は、再生信号（ＲＦ信号）に高速ピーク検波の時定数よりも小さい時定数で復帰するドロップアウトの直後にミラー部があり、かつ、ＤＣオフセットが上側にある場合において、図４に記載の本発明の第２の実施の形態における光ディスク再生装置でのミラー部の検出の様子を示している。
【００８６】
波形ｂにおいて、ＤＣオフセットが下側にあるために、ドロップアウト発生時に低速ピーク検波器３の出力信号（波形ｄ）がＤＣオフセット分だけ上にシフトし、区間ｔ３では低速ピーク検波信号がドループして（垂れて）いるので、区間ｔ３でのミラー検出レベルは所望のレベルとは異なってしまう。
【００８７】
図１４は、ＲＦ信号に高速ピーク検波の時定数よりも小さい時定数で復帰するドロップアウトの直後にミラー部があり、かつ、ＤＣオフセットが下側にある場合において、図４に記載の本発明の第２の実施の形態における光ディスク再生装置でのミラー部の検出の様子を示している。
【００８８】
波形ｂにおいて、ＤＣオフセットが上側にあるために、高速ピーク検波器２の出力信号、低速ピーク検波器３の出力信号ともに、波形ｂの上側エンベロープと一致せず、下側にずれるので、ミラー部検出レベルが所望の検出レベルよりも検出しづらくなってしまう。
【００８９】
図１５は図１３と同じ再生信号（ＲＦ信号）の場合において、図１１に記載の本発明の第５の実施の形態におけるミラー部の検出の様子を示している。
【００９０】
図１１の記載の第５の実施の形態では、第２の実施の形態の構成とは異なり、ＤＣオフセットが上側にあっても、ドロップアウト時の高速ピーク検波器２の出力信号（波形ｃ）と低速ピーク検波器３の出力信号（波形ｄ）が、波形ｂに対してＤＣオフセットが無い場合と相対的に同じである。
【００９１】
このように、ドロップアウト直後にミラー部が来ても、ドロップアウト直後からミラー部において高速ピーク検波器２の出力信号（波形ｃ）が波形ｂの上側エンベロープに追従するので、ミラー部を正確に検出することができる。したがって、第２の実施の形態で存在した課題を解決することができる。
【００９２】
なお、ＤＣオフセットが下側にあっても同じ波形となることは自明である。
【００９３】
以下、本発明の第６の実施の形態について、図面を参照しながら説明する。
【００９４】
図１６は本発明の第６の実施の形態における、光ディスク再生装置の構成を示すブロック図である。図１６において、図８との違いは、ドロップアウト検出時に低速ピーク検波器３の時定数を小さくすることであり、それ以外は図８と同様である。この場合、低速ピーク検波器３の時定数を高速ピーク検波器２の時定数と同じ程度にする。
【００９５】
以上のように構成された光ディスク再生装置において、再生信号にドロップアウトがある場合の様子を図１７を用いて説明する。
【００９６】
図１７において、波形ａ〜ｆは全て同一時間、同一地点での波形を示している。波形ａは再生信号の波形を示し、波形ｂは反転アンプ１の出力信号の波形を示し、波形ｃは高速ピーク検波器２の出力信号の波形を示し、波形ｄは低速ピーク検波器３の出力信号の波形を示し、波形ｅはレベルシフト回路４の出力信号の波形を示し、波形ｆは比較器５の出力信号の波形を示し、波形ｈはドロップアウト検出信号の波形を示している。
【００９７】
この実施の形態では、ＢＤＯ信号（波形ｈ）がハイレベルのときに低速ピーク検波の時定数を小さくするので、低速ピーク検波器３の出力信号（波形ｄ）は波形ｂの上側エンベロープに追従し、波形ｄの信号をレベルシフトした信号（波形ｅ）は波形ｃの信号より高電位になることは無い。
【００９８】
このように、ＢＤＯ信号がハイレベルのときに低速ピーク検波の時定数を小さくすると、波形ｄが波形ｃとがほぼ一致し、ドロップアウト後に波形ｅが波形ｃよりも高電位にならないため、ドロップアウト後にミラー部が無いにもかかわらずミラー検出信号がハイレベルになることが無い。また、再生信号（ＲＦ信号）にＤＣオフセットがあっても様子は変わらない。
【００９９】
以下、本発明の第７の実施の形態について、図面を参照しながら説明する。
【０１００】
図１８は本発明の第７の実施の形態における光ディスク再生装置の構成を示すブロック図である。図１８において、図１との違いは、波形ｂの信号を低速ピーク検波器３で検波するのではなく、高速ピーク検波器２で高速ピーク検波した信号（波形ｃ）を低速ピーク検波器３で検波する構成となっていることであり、その他は図１と同様である。
【０１０１】
以上のように構成された光ディスク再生装置においては、本発明の第１の実施の形態と同じ効果が期待でき、図２と同じ様子となる。
【０１０２】
ただし、第７の実施の形態における光ディスク再生装置は、高速ピーク検波した信号を低速ピーク検波しており、第１の実施の形態のように、波形ｂを低速ピーク検波する構成よりも、通常信号時の低速ピーク検波のレベルがバラツキにくいので、第１の実施の形態の光ディスク再生装置よりもミラー部検出レベルの精度が優れている。
【０１０３】
以下、本発明の第８の実施の形態について、図面を参照しながら説明する。
【０１０４】
図１９は本発明の第８の実施の形態における光ディスク再生装置の構成を示すブロック図である。図１９において、図１８との違いは、リミッタ７を低速ピーク検波器３の後ではなく、高速ピーク検波器２と低速ピーク検波器３の間に挿入する構成となっていることであり、リミッタ７の出力信号が比較器５へ入力されている点であり、それ以外は図１８と同様である。
【０１０５】
以上のように構成された光ディスク再生装置においては、本発明の第２の実施の形態と同じ効果が期待でき、図５と同じ様子となる。
【０１０６】
ただし、第８の実施の形態における光ディスク再生装置は、高速ピーク検波した信号を低速ピーク検波しており、第２の実施の形態のように、波形ｂを低速ピーク検波する構成よりも、通常信号時の低速ピーク検波のレベルがバラツキにくいので、第２の実施の形態の光ディスク再生装置よりもミラー部検出レベルの精度が優れている。
【０１０７】
以下、本発明の第９の実施の形態について、図面を参照しながら説明する。
【０１０８】
図２０は本発明の第９の実施の形態における光ディスク再生装置の構成を示すブロック図である。図２０において、図６との違いは、高速ピーク検波した信号（波形ｃ）を低速ピーク検波する構成となっていることである。
【０１０９】
以上のように構成された光ディスク再生装置においては、本発明の第３の実施の形態と同じ効果が期待でき、図５と同じ様子となる。
【０１１０】
ただし、第９の実施の形態における光ディスク再生装置は、高速ピーク検波した信号を低速ピーク検波しており、第３の実施の形態のように、波形ｂを低速ピーク検波する構成よりも、通常信号時の低速ピーク検波のレベルがバラツキにくいので、第３の実施の形態の光ディスク再生装置よりもミラー部検出レベルの精度が優れている。
【０１１１】
以下、本発明の第１０の実施の形態について、図面を参照しながら説明する。
【０１１２】
図２１は本発明の第１０の実施の形態における光ディスク再生装置の構成を示すブロック図である。図２１において、図８との違いは、高速ピーク検波した信号（波形ｃ）を低速ピーク検波する構成となっていることである。
【０１１３】
以上のように構成された光ディスク再生装置においては、本発明の第４の実施の形態と同じ効果が期待でき、図９と同じ様子となる。
【０１１４】
ただし、第１０の実施の形態における光ディスク再生装置は、高速ピーク検波した信号を低速ピーク検波しており、第４の実施の形態のように、波形ｂを低速ピーク検波する構成よりも、通常信号時の低速ピーク検波のレベルがバラツキにくいので、第４の実施の形態の光ディスク再生装置よりもミラー部検出レベルの精度が優れている。
【０１１５】
以下、本発明の第１１の実施の形態について、図面を参照しながら説明する。
【０１１６】
図２２は本発明の第１１の実施の形態における光ディスク再生装置の構成を示すブロック図である。図２２において、図２１との違いは、ドロップアウト検出時に低速ピーク検波信号ではなく高速ピーク検波信号を保持する構成となっていることである。
【０１１７】
以上のように構成された光ディスク再生装置においては、本発明の第５の実施の形態と同じ効果が期待でき、図１２と同じ様子となる。
【０１１８】
ただし、第１１の実施の形態における光ディスク再生装置は、高速ピーク検波した信号を低速ピーク検波しており、第５の実施の形態のように、波形ｂを低速ピーク検波する構成よりも、通常信号時の低速ピーク検波のレベルがバラツキにくいので、第５の実施の形態の光ディスク再生装置よりもミラー部検出レベルの精度が優れている。
【０１１９】
以下、本発明の第１２の実施の形態について、図面を参照しながら説明する。
【０１２０】
図２３は本発明の第１２の実施の形態における光ディスク再生装置の構成を示すブロック図である。図２３において、図１６との違いは、高速ピーク検波した信号（波形ｃ）を低速ピーク検波する構成となっていることである。
【０１２１】
以上のように構成された光ディスク再生装置においては、本発明の第６の実施の形態と同じ効果が期待でき、図１７と同じ様子となる。
【０１２２】
ただし、第１２の実施の形態における光ディスク再生装置は、高速ピーク検波した信号を低速ピーク検波しており、第６の実施の形態のように、波形ｂを低速ピーク検波する構成よりも、通常信号時の低速ピーク検波のレベルがバラツキにくいので、第６の実施の形態の光ディスク再生装置よりもミラー部検出レベルの精度が優れている。
【０１２３】
【発明の効果】
以上のように、本発明によれば、ドロップアウトの後にミラー部が無いにもかかわらずミラー部検出信号がハイレベルとなるようなことは無い。
【０１２４】
また、ドロップアウト信号の後にミラー部がある場合は、そのミラー部がドロップアウトの直後でも正確にミラー部を検出することができる。
【０１２５】
また、再生信号にＤＣオフセットがある場合でも、ドロップアウトの後にミラー部が無いにもかかわらずミラー部検出信号がハイレベルとなるようなことは無く、また、ドロップアウト信号の後にミラー部がある場合は、そのミラー部がドロップアウトの直後でも正確にミラー部を検出することができる。
【０１２６】
以上のことから、従来よりも誤動作の無く、検出レベルが正確で安定したミラー検出信号が得られる優れた光ディスク再生装置を実現することができる。
【図面の簡単な説明】
【図１】本発明の第１の実施の形態における光ディスク再生装置の構成を示すブロック図である。
【図２】ドロップアウトがある場合の本発明の第１の実施の形態における光ディスク再生装置の各部の波形を示す波形図である。
【図３】ドロップアウト後にミラー部がある場合の本発明の第１の実施の形態における光ディスク再生装置のミラー部検出の波形を示す波形図である。
【図４】本発明の第２の実施の形態における光ディスク再生装置の構成を示すブロック図である。
【図５】ドロップアウト後にミラー部がある場合の本発明の第２の実施の形態における光ディスク再生装置のミラー部検出の波形を示す波形図である。
【図６】本発明の第３の実施の形態における光ディスク再生装置の構成を示すブロック図である。
【図７】ドロップアウト後にミラー部がある場合の本発明の第３の実施の形態における光ディスク再生装置のミラー部検出の波形を示す波形図である。
【図８】本発明の第４の実施の形態における光ディスク再生装置の構成を示すブロック図である。
【図９】ドロップアウトがある場合の本発明の第４の実施の形態における光ディスク再生装置の各部の波形を示す波形図である。
【図１０】ドロップアウト後にミラー部がある場合の本発明の第４の実施の形態における光ディスク再生装置のミラー部検出の波形を示す波形図である。
【図１１】本発明の第５の実施の形態における光ディスク再生装置の構成を示すブロック図である。
【図１２】ドロップアウト後にミラー部がある場合の本発明の第５の実施の形態における光ディスク再生装置のミラー部検出の波形を示す波形図である。
【図１３】ドロップアウト後にミラー部があり、かつ、ＤＣオフセットが上側にある場合の本発明の第２の実施の形態における光ディスク再生装置のミラー部検出の波形を示す波形図である。
【図１４】ドロップアウト後にミラー部があり、かつ、ＤＣオフセットが下側にある場合の本発明の第２の実施の形態における光ディスク再生装置のミラー部検出の波形を示す波形図である。
【図１５】ドロップアウト後にミラー部があり、かつ、ＤＣオフセットが上側にある場合の本発明の第５の実施の形態における光ディスク再生装置のミラー部検出の波形を示す波形図である。
【図１６】本発明の第６の実施の形態における光ディスク再生装置の構成を示すブロック図である。
【図１７】ドロップアウトがある場合の本発明の第６の実施の形態における光ディスク再生装置の各部の波形を示す波形図である。
【図１８】本発明の第７の実施の形態における光ディスク再生装置の構成を示すブロック図である。
【図１９】本発明の第８の実施の形態における光ディスク再生装置の構成を示すブロック図である。
【図２０】本発明の第９の実施の形態における光ディスク再生装置の構成を示すブロック図である。
【図２１】本発明の第１０の実施の形態における光ディスク再生装置の構成を示すブロック図である。
【図２２】本発明の第１１の実施の形態における光ディスク再生装置の構成を示すブロック図である。
【図２３】本発明の第１２の実施の形態における光ディスク再生装置の構成を示すブロック図である。
【図２４】従来の光ディスク再生装置の構成を示すブロック図である。
【図２５】従来の光ディスク再生装置におけるミラー部検出の波形を示す波形図である。
【図２６】従来の光ディスク再生装置の構成を示すブロック図である。
【図２７】ドロップアウトがある場合の従来の光ディスク再生装置の各部の波形を示す波形図である。
【図２８】ドロップアウト後にミラー部がある場合の従来の光ディスク再生装置のミラー部検出の波形を示す波形図である。
【符号の説明】
１    反転アンプ
２    高速ピーク検波器
３    低速ピーク検波器
４    レベルシフト回路
５    比較器
６    リミッタ
７    リミッタ
８    リミッタ
９    ドロップアウト検出器
ａ    再生信号（ＲＦ信号）の波形
ｂ    反転アンプの出力信号の波形
ｃ    高速ピーク検波器の出力信号の波形
ｄ    低速ピーク検波器の出力信号の波形
ｅ    低速ピーク検波のレベルシフト回路の出力信号の波形
ｆ    ミラー部検出信号の波形
ｇ    リミッタレベル
ｈ    ドロップアウト検出信号の波形
【図１】
2004227738.tif 000003
【図２】
2004227738.tif 000004
【図３】
2004227738.tif 000005
【図４】
2004227738.tif 000006
【図５】
2004227738.tif 000007
【図６】
2004227738.tif 000008
【図７】
2004227738.tif 000009
【図８】
2004227738.tif 000010
【図９】
2004227738.tif 000011
【図１０】
2004227738.tif 000012
【図１１】
2004227738.tif 000013
【図１２】
2004227738.tif 000014
【図１３】
2004227738.tif 000015
【図１４】
2004227738.tif 000016
【図１５】
2004227738.tif 000017
【図１６】
2004227738.tif 000018
【図１７】
2004227738.tif 000019
【図１８】
2004227738.tif 000020
【図１９】
2004227738.tif 000021
【図２０】
2004227738.tif 000022
【図２１】
2004227738.tif 000023
【図２２】
2004227738.tif 000024
【図２３】
2004227738.tif 000025
【図２４】
2004227738.tif 000026
【図２５】
2004227738.tif 000027
【図２６】
2004227738.tif 000028
【図２７】
2004227738.tif 000029
【図２８】
2004227738.tif 000030